(57)【要約】【課題】電子回路が実装された基板を容易にシールドする。【解決手段】上面用シールド板４２は、基板４０の上面で幹線領域４００と分岐線領域４０２との間に設けられ、弾性部材４２６を介してシャーシ４６に接触する。下面用シールド板４４は、基板４０の下面で幹線領域４００と分岐線領域４０２との間に設けられ、シャーシ接触部４４４がシャーシ４６に接触すると共に、弾性部材４２６を介してシャーシ４６に接触する。上面用シールド板４２、下面用シールド板４４、シャーシ４６およびパネル４８は、幹線領域４００を囲み、分岐線領域４０２の信号が幹線領域４００に廻り込まないようにシールドする。なお、シャーシ４６は、筐体に設けられたアース端子を介して接地されている。【選択図】          図１７
2004335555.tif 000002
【特許請求の範囲】
【請求項１】
第１の領域と第２の領域とを有し、電子回路が実装された基板と、
前記基板を収容するシャーシと、
前記基板の第１の面の第１の領域と第２の領域との間に設けられ、前記基板のグランドと前記シャーシとの間を導通させる第１のシールド板と
を有する電子装置。
【請求項２】
前記基板の第２の面に対向する導電性の面を有するパネルと、
前記基板の第２の面の第１の領域と第２の領域との間に設けられ、前記基板のグランドと前記パネルとの間を導通させる第２のシールド板と
をさらに有する
請求項１に記載の電子装置。
【請求項３】
前記第１のシールド板および前記第２のシールド板またはこれらのいずれかは、
導電性の弾性部
をさらに有し、
前記弾性部は、
前記第１のシールド板および前記第２のシールド板またはこれらのいずれかと前記シャーシとの間をそれぞれ導通させる
請求項１または２に記載の電子装置。
【発明の詳細な説明】
【０００１】
【発明の属する技術分野】
本発明は、増幅装置等の電子装置に関する。
【０００２】
【従来の技術】
例えば、ＣＡＴＶシステムに用いられる増幅装置には、基板に複数の増幅回路を実装しているものがある。
例えば、特許文献１には、基板に実装された複数の増幅回路に対し、それぞれの増幅回路を囲むシールド板を立設し、増幅回路に増幅対象以外の高周波信号が侵入することを防止することが開示されている。
【０００３】
しかしながら、それぞれの増幅回路を囲むシールド板を基板に立設すると、増幅装置の構成およびシールド板の形状が複雑になることがある。
【０００４】
【特許文献１】特開２００２−１５８９８８号公報
【０００５】
【発明が解決しようとする課題】
本発明は、上述した背景からなされたものであり、電子回路が実装された基板を容易にシールドすることができる電子装置を提供することを目的とする。
【０００６】
【課題を解決するための手段】
上記目的を達成するために、本発明にかかる電子装置は、第１の領域と第２の領域とを有し、電子回路が実装された基板と、前記基板を収容するシャーシと、前記基板の第１の面の第１の領域と第２の領域との間に設けられ、前記基板のグランドと前記シャーシとの間を導通させる第１のシールド板とを有する。
【０００７】
好適には、前記基板の第２の面に対向する導電性の面を有するパネルと、前記基板の第２の面の第１の領域と第２の領域との間に設けられ、前記基板のグランドと前記パネルとの間を導通させる第２のシールド板とをさらに有する。
【０００８】
好適には、前記第１のシールド板および前記第２のシールド板またはこれらのいずれかは、導電性の弾性部をさらに有し、前記弾性部は、前記第１のシールド板および前記第２のシールド板またはこれらのいずれかと前記シャーシとの間をそれぞれ導通させる。
【０００９】
【発明の実施の形態】
以下、本発明の実施形態を説明する。
【００１０】
［ＣＡＴＶシステム１］
図１は、本発明が適用されるＣＡＴＶシステム１の構成を例示する図である。
図１に示すように、ＣＡＴＶ（Ｃｏｍｍｕｎｉｔｙ  Ａｎｔｅｎａ  Ｔｅｌｅｖｉｓｉｏｎ）システム１は、例えば、ＣＡＴＶ局１０、幹線（幹線伝送路）１２、および幹線分岐増幅器２によって分岐された分岐線（分岐伝送路）１４−１〜１４−４などから構成され、住宅（加入者）１００および集合住宅１０２などに、ケーブル網によるテレビ放送サービスを行う。
【００１１】
ＣＡＴＶ局１０は、高感度アンテナを有し、例えば山間辺地およびビル陰地域の難視聴を解消するためにテレビ放送を受信し、幹線１２に対して出力する。
幹線１２は、幹線ケーブル１２０が幹線分配増幅器１２２−１〜１２２−３および幹線分岐増幅器２などを介して接続されて構成される。
分岐線１４−１〜１４−４それぞれは、同軸ケーブル１４０−１〜１４０−４および分配器１４２−１〜１４２−４などを含み、住宅１００などに接続される。
さらに、分岐線１４−２は、例えば延長増幅器１４４、分配器１４２−５および棟内ブースタ１４６などを含み、例えば集合住宅１０２などに接続される。
このように、ＣＡＴＶシステム１は、ＣＡＴＶ局１０が受信したテレビ放送をケーブル網を介して再配信して、テレビ放送の難視聴地域にも、テレビ放送サービスを行う。
【００１２】
［放送波帯域］
図２は、テレビ放送の放送波伝送帯域を示す図である。
以下、説明を具体化し発明の理解を容易にするため、図２に示す放送波伝送帯域の信号を伝送するＣＡＴＶシステム１を具体例として説明する。
図２に示すように、アナログ放送（ＮＴＳＣ方式）は、９０ＭＨｚから２２２ＭＨｚの帯域を伝送帯域としている。
デジタル放送は、アナログ放送よりも高い周波数帯域を伝送帯域としている。
テレビ放送サービスは、アナログ放送のみのサービスからデジタル放送のみのサービスに移行する際に、移行期間を設けている。
この移行期間には、アナログ放送とデジタル放送とで同一の内容を放送するサイマル放送などが行われ、テレビ放送の放送波伝送帯域は、９０ＭＨｚから７７０ＭＨｚの帯域になる。
そして、アナログ放送が終了すると、ＣＡＴＶシステム１は、デジタル放送の放送波伝送帯域の信号のみを伝送する。
【００１３】
［幹線分岐増幅器２］
図３は、幹線分岐増幅器２（図１）の構成を示す図である。
図３に示すように、幹線分岐増幅器２は、幹線部２０ａ、分岐部２０ｂおよび電源部３などから構成される。
【００１４】
幹線部２０ａは、方向性フィルタ２００−１，２００−２、入力レベル調整部２０２−１，２０２−２、第１の幹線増幅部２２、第２の幹線増幅部２４、分波器２０４−１〜２０４−３、可変利得調整部２１０、幹線入力端子４１０および幹線出力端子４１２などから構成される。
以下、方向性フィルタ２００−１，２００−２など複数ある構成部分のいずれかを特定せずに示す場合には、単に「方向性フィルタ２００」などと略記することがある。
【００１５】
方向性フィルタ２００は、高域通過端子、低域通過端子および共通端子を有し、共通端子と高域通過端子との間で、後述するデジタル放送用帯域の信号（高域信号）を通過させ、共通端子と低域通過端子との間で、後述するアナログ放送用帯域の信号（低域信号）を通過させる。
つまり、方向性フィルタ２００は、高域通過端子と共通端子との間で、高域信号を双方向に通過させるハイパスフィルタ（ＨＰＦ）と、低域通過端子と共通端子との間で、低域信号を双方向に通過させるローパスフィルタ（ＬＰＦ）とを有している。
【００１６】
図４は、方向性フィルタ２００が伝送信号を分波する帯域を示す図である。
図４に示すように、方向性フィルタ２００のＬＰＦは、カットオフ周波数が２２２ＭＨｚであり、２２２ＭＨｚ以下の伝送信号をアナログ放送用帯域の信号（低域信号）として通過させる。
方向性フィルタ２００のＨＰＦは、カットオフ周波数が２６０ＭＨｚであり、２６０ＭＨｚ以上の伝送信号をデジタル放送用帯域の信号（高域信号）として通過させる。
また、方向性フィルタ２００のＨＰＦのカットオフ周波数は、パススルー方式で伝送される地上波デジタル放送帯域との間に、帯域の余裕をもってＢＳ（衛星放送）テレビジョンチャンネルの半数（４チャンネル分）を配置することができるように、実験などによって定められる。
なお、図４に示した例においては、方向性フィルタ２００において、高域信号と低域信号との間のガードバンドは、２２２〜２６０ＭＨｚまでの３８ＭＨｚ幅とされている。
【００１７】
つまり、方向性フィルタ２００−１（図３）は、幹線分配増幅器１２２−１から幹線入力端子４１０を介して入力された伝送信号を高域信号と低域信号とに分波し、高域信号を高域通過端子から入力レベル調整部２０２−１に対して出力すると共に、低域信号を低域通過端子から入力レベル調整部２０２−２に対して出力する。
【００１８】
入力レベル調整部２０２は、例えば複数のスイッチによる加算式のＢＯＮ（疑似線路回路網）であり、方向性フィルタ２００−１から入力された信号の減衰量を周波数の平方根に比例して増減させ、第１の幹線増幅部２２（第２の幹線増幅部２４）に対して出力する。
そして、入力レベル調整部２０２は、例えば幹線分配増幅器１２２−１から幹線分岐増幅器２までの幹線伝送路の長さなどに応じて減衰量を設定されることにより、方向性フィルタ２００−１から入力された信号のレベルを、第１の幹線増幅部２２（第２の幹線増幅部２４）への入力として適正なレベルに減衰させる。
また、入力レベル調整部２０２は、第１の幹線増幅部２２（第２の幹線増幅部２４）に入力される伝送信号の全帯域を一定の減衰量にするように、例えば特性を設定されたカード（標準調整素子）の挿入によって特性の調整をするカード式のアッテネータおよびイコライザ（ケーブル等価器）などから構成されてもよい。
【００１９】
例えば、アナログ放送用帯域のみを増幅し、加算式のＢＯＮを入力レベル調整部に採用している既存の増幅装置を、幹線分岐増幅器２によって置換し、放送波伝送帯域を拡張する場合には、アナログ放送用帯域は、既存の増幅装置と共通の操作で調整できるようにし、デジタル放送用帯域は、特性を設定されたカードを挿入することにより容易に調整できるようにすることが好ましい。
つまり、入力レベル調整部２０２−１は、カード式のアッテネータおよびイコライザなどから構成され、入力レベル調整部２０２−２は、加算式のＢＯＮであることが好ましい。
【００２０】
第１の幹線増幅部２２は、例えば２６０ＭＨｚ以上の高域信号を線形性よく増幅する増幅器、および利得調整部などを有し、入力レベル調整部２０２−１から入力された信号を増幅して、後述する可変利得調整部２１０から入力された信号によって利得を調整し、分配器２０４−３に対して出力する。
【００２１】
分配器２０４−３は、第１の幹線増幅部２２から入力された信号を分配し、分配器２０４−１および可変利得調整部２１０に対して出力する。
【００２２】
可変利得調整部２１０は、自動利得調整部（ＡＧＣ）などを有し、分配器２０４−３から入力される信号などに基づいて、第１の幹線増幅部２２および第２の幹線増幅部２４の利得を調整する利得調整信号を、第１の幹線増幅部２２および第２の幹線増幅部２４に対して出力する。
【００２３】
分配器２０４−１は、分配器２０４−３から入力された信号を分配し、方向性フィルタ２００−２（高域通過端子）および後述する第１の分岐増幅部２６に対して出力する。
【００２４】
第２の幹線増幅部２４は、例えば２２２ＭＨｚ以下の低域信号を線形性よく増幅する増幅器、および利得調整部などを含み、第１の幹線増幅部２２とは異なる特性を有し、入力レベル調整部２０２−２から入力された信号を増幅して、上述した可変利得調整部２１０から入力された信号によって利得を調整し、分配器２０４−２に対して出力する。
【００２５】
分配器２０４−２は、第２の幹線増幅部２４から入力された信号を分配し、方向性フィルタ２００−２（低域通過端子）および後述する第２の分岐増幅部２８に対して出力する。
【００２６】
方向性フィルタ２００−２は、高域通過端子において分配器２０４−１から出力された高域信号を受け入れ、さらに、低域通過端子において分配器２０４−２から出力された低域信号を受入れて、高域信号と低域信号とを混合し、幹線出力端子４１２を介して幹線分配増幅器１２２−２に対して出力する。
【００２７】
分岐部２０ｂは、第１の分岐増幅部２６、第２の分岐増幅部２８、方向性フィルタ２００−３、分配部２０６および分岐線出力端子４１４ａ〜４１４ｄなどから構成される。
【００２８】
第１の分岐増幅部２６は、例えば２６０ＭＨｚ以上の高域信号を線形性よく増幅する増幅器、および利得調整部などを有し、分配器２０４−１から入力された信号の利得を調整して増幅し、方向性フィルタ２００−３（高域通過端子）に対して出力する。
【００２９】
第２の分岐増幅部２８は、例えば２２２ＭＨｚ以下の低域信号を線形性よく増幅する増幅器、および利得調整部などを含み、第１の分岐増幅部２６とは異なる特性を有し、分配器２０４−２から入力された信号の利得を調整して増幅し、方向性フィルタ２００−３（低域通過端子）に対して出力する。
【００３０】
方向性フィルタ２００−３は、高域通過端子において第１の分岐増幅部２６から出力された高域信号を受け入れ、さらに、低域通過端子において第２の分岐増幅部２８から出力された低域信号を受入れて、高域信号と低域信号とを混合し、分配部（４分配）２０６に対して出力する。
【００３１】
分配部２０６は、方向性フィルタ２００−３から入力された信号を４分配し、それぞれ分岐線出力端子４１４ａ〜４１４ｄを介して分配器１４２−１〜１４２−４（図１）に対して出力する。
【００３２】
電源部３は、電源ユニット３０、電源ライン３２、グランドライン（ＧＮＤ）３４および遮断スイッチ３６などから構成される。
電源ユニット３０は、電源ライン３２およびグランドライン３４により、幹線分岐増幅器２の各部にそれぞれ必要な電力を供給する。
そして、電源ユニット３０から第２の幹線増幅部２４および第２の分岐増幅部２８に電力を供給する電源ラインには、遮断スイッチ３６が設けられている。
遮断スイッチ３６がオフになると、第２の幹線増幅部２４および第２の分岐増幅部２８に供給される電力のみが遮断される。
【００３３】
なお、幹線分岐増幅器２は、第１の幹線増幅部２２、第２の幹線増幅部２４、第１の分岐増幅部２６および第２の分岐増幅部２８の内部などに、スロープ特性を調整する回路をそれぞれ挿入されてもよい。
【００３４】
次に、幹線分岐増幅器２のシールドについて詳述する。
【００３５】
［幹線分岐増幅器２の外形］
図５は、幹線分岐増幅器２の正面図である。
図６は、幹線分岐増幅器２を図５の矢印Ａの方向（上側）から見た上面図である。
図７は、幹線分岐増幅器２を図５の矢印Ｂの方向（左側）から見た左側面図である。
図８は、幹線分岐増幅器２を図５の矢印Ｃの方向（右側）から見た右側面図である。
【００３６】
図５〜図８に示すように、幹線分岐増幅器２は、筐体４およびカバー５を有する。
筐体４およびカバー５は、例えばアルミダイカストなどの導電性を有する材料によって形成されている。
筐体４の左側面（図６において左側）には、幹線分配増幅器１２２−１（図１）から伝送信号を受入れるための幹線入力端子４１０が設けられ、筐体４の右側面（図６において右側）には、幹線分配増幅器１２２−２に対して伝送信号を出力するための幹線出力端子４１２が設けられている。
【００３７】
また、筐体４の左側面には、分配器１４２−１，１４２−２に対して伝送信号を出力するための分岐線出力端子４１４ａ，４１４ｂが幹線入力端子４１０に並列して順に設けられ、さらに幹線入力端子４１０の近傍に、外部から電力を受入れる外部電源入力端子５０が設けられている。
また、筐体４の右側面には、分配器１４２−３，１４２−４に対して伝送信号を出力するための分岐線出力端子４１４ｃ，４１４ｄが幹線出力端子４１２に並列して順に設けられ、さらに幹線出力端子４１２の近傍に、アース端子５２が設けられている。
アース端子５２は、筐体４に設けられることにより、幹線分岐増幅器２を接地する。
【００３８】
筐体４とカバー５とは、互いに対向する部分の周囲を、例えば４つのネジ５４ａ〜５４ｄにより、ネジ止めされている。
幹線分岐増幅器２の背面側（図６において上側）には、例えば取付け金具などからなる固定部５６ａ，５６ｂが設けられている。そして、幹線分岐増幅器２は、固定部５６ａ，５６ｂにより、ＣＡＴＶシステム１の幹線１２（図１）に設けられたメッセンジャーワイヤ（図示せず）に固定される。
幹線分岐増幅器２の正面側（図５）には、モニタ部５８が設けられており、幹線分岐増幅器２の各部における信号および信号状態などを確認することができるようにしてある。
【００３９】
［筐体４およびその周辺構成］
図９は、筐体４およびその周辺を示す斜視図である。
図１０は、図９に示した筐体４およびその周辺の上面を示す上面図である。
図１１は、筐体４およびその周辺を示し、図１０のＥ−Ｅ線断面図である。
図９〜図１１に示すように、筐体４には、幹線入力端子４１０、幹線出力端子４１２および分岐線出力端子４１４ａ〜４１４ｃが嵌合されており、幹線入力端子４１０の近傍には、幹線入力端子４１０側、分岐線出力端子４１４ａ，４１４ｂ側、および外部電源入力端子５０側に筐体４の内側を仕切る仕切部４１８が設けられている。
幹線入力端子４１０、幹線出力端子４１２および分岐線出力端子４１４ａ〜４１４ｄのぞれぞれには、針状の接続端子４１６が設けられ、基板４０（図１２、図１３を用いて後述）と、幹線分配増幅器１２２−１，１２２−２（幹線１２）および分配器１４２−１〜１４２−４（分岐線１４−１〜１４−４）とが接続されるようになっている。
仕切部４１８は、導電性の部材によって形成され、水平方向に段部を有する。
【００４０】
［基板４０およびその周辺構成］
図１２は、筐体４内に配置される基板４０およびその周辺構成を示す分解斜視図である。
基板４０には、長手方向ほぼ中央に複数のスルーホールが並べて設けられており、その周囲に例えば帯状のグランドライン３４（図３参照）が設けられている。
また、基板４０は、後述するシャーシ凹部４６０に嵌合する切欠きを有する。
基板４０の上面には、導電性を有する上面用シールド板４２が設けられ、基板４０の下面には、導電性を有する下面用シールド板４４が設けられる。
上面用シールド板４２と下面用シールド板４４とは、基板４０に設けられた複数のスルーホールを介し、グランドライン３４を挟んで、例えばネジなどの導電性を有する固定部材によって互いに固定される。
すなわち、上面用シールド板４２と下面用シールド板４４とは、それぞれ基板４０のグランドライン３４と導通している。
【００４１】
また、下面用シールド板４４の下方には、導電性を有するシャーシ４６が設けられる。
シャーシ４６は、筐体４の内側に設けられた仕切部４１８（図９など）に嵌合するシャーシ凹部４６０を有する。
さらに、上面用シールド板４２の上方には、パネル４８が設けられる。
パネル４８は、仕切部４１８の上部に嵌合するパネル切欠き４８０、および複数の窓孔などを有し、基板４０に対向する面が導電性の部材で覆われている。
窓孔は、幹線分岐増幅器２の調整等を行うために基板４０に実装された部品などを貫通させる。
そして、基板４０、上面用シールド板４２、下面用シールド板４４、シャーシ４６およびパネル４８は、例えばネジなどの導電性を有する固定部材によって一体となるようにそれぞれ固定され、筐体４内に配置されるようになっている。
【００４２】
図１３は、基板４０、上面用シールド板４２および下面用シールド板４４の詳細を示す図である。
基板４０は、幹線部２０ａ（図３）および分岐部２０ｂを構成する電子回路（図示せず）などが実装されており、該基板４０の下面（第１の面）の幹線領域４００と分岐領域４０２との間に下面用シールド板４４が設けられ、該基板４０の上面（第２の面）の幹線領域４００と分岐領域４０２との間に上面用シールド板４２が設けられている。
幹線領域４００には、方向性フィルタ２００−１，２００−２（図３）が実装されており、幹線入力端子４１０（図１０など）の接続端子４１６と方向性フィルタ２００−１とを接続する接続部材４０４、および、幹線出力端子４１２の接続端子４１６と方向性フィルタ２００−２とを接続する接続部材４０６が設けられている。
分岐領域４０２には、分配部２０６（図３）が実装されており、該分配部２０６から出力される４つの分岐出力と分岐線出力端子４１４ａ〜４１４ｄそれぞれの４１６とを接続する接続部材４０８ａ〜４０８ｄが設けられている。
【００４３】
上面用シールド板４２は、導電性を有する例えば板状部材を曲げ加工することによって形成されており、基板４０の上面を幹線領域４００側と分岐領域４０２側とに分ける本体部４２０と、パネル４８側で本体部４２０に対してほぼ直角に曲げられたパネル固定部４２２と、基板４０側で本体部４２０に対してほぼ直角に曲げられ、パネル固定部４２２と対向する基板固定部４２４とを有する。
また、本体部４２０は、一端をほぼ直角に曲げられ、上面用シールド板４２がＬ字状になるようにされている。
そして、本体部４２０の曲げられた一端の外面には、導電性を有する例えば板バネや曲げ板などの弾性部材４２６が設けられている。
なお、弾性部材４２６は、本体部４２０と一体に形成された弾性部であってもよい。
【００４４】
下面用シールド板４４は、導電性を有する例えば板状部材を曲げ加工することによって形成されており、基板４０の下面を幹線領域４００側と分岐領域４０２側とに分ける本体部４４０と、基板４０側で本体部４４０に対してほぼ直角に曲げられた基板固定部４４２と、シャーシ４６側で本体部４４０に対してほぼ直角、且つ基板固定部４４２の逆側に曲げられたシャーシ接触部４４４とを有する。
また、本体部４４０は、一端をほぼ直角に曲げられ、下面用シールド板４４がＬ字状になるようにされている。
そして、本体部４４０の曲げられた一端の外面には、上面用シールド板４２と同様に、導電性を有する例えば板バネや曲げ板などの弾性部材４２６が設けられている。
なお、弾性部材４２６は、本体部４４０と一体に形成された弾性部であってもよい。
【００４５】
図１４は、上面用シールド板４２および下面用シールド板４４を基板４０に固定した状態を示す斜視図である。
図１４に示すように、基板４０は、上面用シールド板４２および下面用シールド板４４によって挟まれることにより、基板４０の上面の一部および下面の一部をそれぞれ含む幹線領域４００と分岐領域４０２とに分けられる。
【００４６】
図１５は、シャーシ４６の詳細を示す図である。
上述したように、シャーシ４６は、導電性の部材からなり、例えば上側が開口された箱状に形成され、シャーシ凹部４６０、接続部材４０４に対向する側孔部４６２、接続部材４０６に対向する側孔部４６４、および、接続部材４０８ａ〜４０８ｄにそれぞれ対向する側孔部４６６ａ〜４６６ｄなどを有し、基板４０を収容する。
そして、基板４０は、下面用シールド板４４などを介してシャーシ４６に固定される。
【００４７】
図１６は、上面用シールド板４２がシャーシ４６に接触した状態を示す図である。
図１６に示すように、上面用シールド板４２は、シャーシ凹部４６０に内側から弾性部材４２６を介して接触している。
なお、下面用シールド板４４は、上面用シールド板４２と同様に、弾性部材４２６を介してシャーシ４６に接触している。
【００４８】
［上面用シールド板４２、下面用シールド板４４およびシャーシ４６の作用］
図１７は、基板４０が幹線分岐増幅器２内に配置された状態を示し、図６のＤ−Ｄ線断面図である。
上述したように、上面用シールド板４２は、基板４０の上面に設けられ、弾性部材４２６を介してシャーシ４６のシャーシ凹部４６０に接触している。
下面用シールド板４４は、基板４０の下面に設けられ、シャーシ接触部４４４がシャーシ４６に接触すると共に、弾性部材４２６を介してシャーシ４６のシャーシ凹部４６０に接触している。
このように、基板４０は、シャーシ４６に収容され、さらに、幹線領域４００は、上面用シールド板４２、下面用シールド板４４、シャーシ４６およびパネル４８によって囲まれている。
なお、シャーシ４６は、仕切部４１８（図９参照）および筐体４に嵌合し、仕切部４１８の段部などに載置された状態で固定され、仕切部４１８、筐体４およびアース端子５２（図５、図８）などを介して接地されている。
【００４９】
図１８は、幹線分岐増幅器２（図１、図２）に入力される信号に対し、必要となる利得を帯域ごとに例示する図である。
図１８に示すように、２２２ＭＨｚの信号を伝送するために必要な利得は、例えば３３ｄＢである。
一方、７７０ＭＨｚの信号を伝送するために必要な利得は、例えば４８ｄＢであり、デジタル放送用帯域の信号伝送には、アナログ放送用帯域の信号伝送よりも大きくな利得が必要になっている。
【００５０】
幹線分岐増幅器２において、伝送信号は、幹線入力端子４１０（図６）を介して方向性フィルタ２００−１（図３）に入力されると、例えば４８ｄＢの利得を得るように増幅され、幹線出力端子４１２および分岐線出力端子４１４ａ〜４１４ｄを介し、幹線分配増幅器１２２−２（幹線１２）および分配器１４２−１〜１４２−４に対してそれぞれ出力される。
【００５１】
すなわち、伝送信号は、接続部材４０４（図１７）から方向性フィルタ２００−１（図３）に入力されると、例えば４８ｄＢの利得を得るように増幅され、分配部２０６（図３）から接続部材４０８ａ，４０８ｂに対して出力される。
一方、幹線領域４００（図１７）は、上面用シールド板４２、下面用シールド板４４、シャーシ４６およびパネル４８によって囲まれているので、分岐部２０ｂ（図３）から出力された信号が幹線部２０ａの方向性フィルタ２００−１などに廻り込まないようにシールドされている。
【００５２】
［全体動作］
以下、ＣＡＴＶシステム１（図１）の全体動作を説明する。
ＣＡＴＶ局１０は、テレビ放送局などが発信する放送波伝送帯域（図２）の信号を受信し、幹線１２に対して再送信する。
幹線１２において、幹線分配増幅器１２２−１〜１２２−３および幹線分岐増幅器２は、ＣＡＴＶ局１０によって再送信された信号を中継する。
【００５３】
幹線分岐増幅器２は、幹線分配増幅器１２２−１から入力された伝送信号を、方向性フィルタ２００−１によって高域信号と低域信号（図４）とに分波する。
【００５４】
幹線分岐増幅器２（図１、図２）は、第１の幹線増幅部２２においてデジタル放送用帯域の信号を増幅し、第２の幹線増幅部２４においてアナログ放送用帯域の信号を増幅する。
【００５５】
第１の幹線増幅部２２によって増幅された信号、および第２の幹線増幅部２４によって増幅された信号は、それぞれ分配器２０４−１および分配器２０４−２によって分配され、幹線１２によって伝送される信号と、分岐線１４によって伝送される信号とに分けられる。
【００５６】
方向性フィルタ２００−２は、幹線１２によって伝送される高域信号と低域信号とを混合し、幹線分配増幅器１２２−２に対して出力する。
【００５７】
分岐線１４によって伝送される信号は、デジタル放送用帯域の信号が第１の分岐増幅部２６によって増幅され、アナログ放送用帯域の信号が第２の分岐増幅部２８によって増幅される。
【００５８】
第１の分岐増幅部２６によって増幅された信号、および第２の分岐増幅部２８によって増幅された信号は、方向性フィルタ２００−３によって混合される。
分配部２０６は、方向性フィルタ２００−３によって混合された信号を受け入れて４分配し、それぞれ分岐線１４−１〜１４−４に対して出力する。
【００５９】
分岐線１４（図１）によって伝送される信号は、分配器１４２−１〜１４２−５などを介し、住宅１００および集合住宅１０２などに伝送される。
【００６０】
さらに、アナログ放送サービスが終了すると、遮断スイッチ３６（図３）をオフにすることにより、幹線分岐増幅器２は、デジタル放送の放送波伝送帯域の信号のみを増幅する。
【００６１】
以上のように、上面用シールド板４２、下面用シールド板４４、シャーシ４６およびパネル４８は、分岐領域４０２内の信号が幹線領域４００に廻り込まないようにシールドしている。
【００６２】
本発明は、幹線分配増幅器および分岐増幅器などにも適用されることができ、ＣＴＴＳ（Ｃａｂｌｅ  ａｎｄ  Ｔｅｌｅ−ｃｏｍｍｕｎｉｃａｔｉｏｎ  Ｔｅｌｅｖｉｓｉｏｎ  Ｓｙｓｔｅｍ）における双方向伝送、データ伝送などに適用されてもよい。
また、幹線領域４００と分岐領域４０２との間には、複数の上面用シールド板４２および下面用シールド板４４がそれぞれ設けられてもよい。
【００６３】
【発明の効果】
以上説明したように、本発明にかかる電子装置によれば、電子回路が実装された基板を容易にシールドすることができる。
【図面の簡単な説明】
【図１】本発明が適用されるＣＡＴＶシステムの構成を例示する図である。
【図２】テレビ放送の放送波伝送帯域を示す図である。
【図３】幹線分岐増幅器の構成を示す図である。
【図４】方向性フィルタが伝送信号を分波する帯域を示す図である。
【図５】幹線分岐増幅器の外形を示す正面図である。
【図６】幹線分岐増幅器の外形を示す上面図である。
【図７】幹線分岐増幅器の外形を示す左側面図である。
【図８】幹線分岐増幅器の外形を示す右側面図である。
【図９】筐体を示す斜視図である。
【図１０】図９に示した筐体およびその周辺の上面を示す上面図である。
【図１１】筐体およびその周辺を示し、図１０のＥ−Ｅ線断面図である。
【図１２】筐体内に配置される基板およびその周辺構成を示す分解斜視図である。
【図１３】基板、上面用シールド板および下面用シールド板の詳細を示す図である。
【図１４】上面用シールド板および下面用シールド板を基板に固定した状態を示す斜視図である。
【図１５】シャーシの詳細を示す図である。
【図１６】上面用シールド板がシャーシに接触した状態を示す図である。
【図１７】基板が幹線分岐増幅器内に配置された状態を示し、図６のＤ−Ｄ線断面図である。
【図１８】幹線分岐増幅器に入力される信号に対し、必要となる利得を帯域ごとに例示する図である。
【符号の説明】
１・・・ＣＡＴＶシステム
１０・・・ＣＡＴＶ局
１２・・・幹線
１２２−１〜１２２−３・・・幹線分配増幅器
１４−１〜１４−４・・・分岐線
２・・・幹線分岐増幅器
２０ａ・・・幹線部
２０ｂ・・・分岐部
２００−１〜２００−３・・・方向性フィルタ
２０２−１，２０２−２・・・入力レベル調整部
２０４−１〜２０４−３・・・分配器
２０６・・・分配器（４分配）
２１０・・・可変利得調整部
２２・・・第１の幹線増幅部
２４・・・第２の幹線増幅部
２６・・・第１の分岐増幅部
２８・・・第２の分岐増幅部
３・・・電源部
３４・・・グランドライン
４・・・筐体
４０・・・基板
４００・・・幹線領域
４０２・・・分岐領域
４０４，４０６，４０８ａ〜４０８ｄ・・・接続部材
４１０・・・幹線入力端子
４１２・・・幹線出力端子
４１４ａ〜４１４ｄ・・・分岐線出力端子
４１６・・・接続端子
４１８・・・仕切部
４２・・・上面用シールド板
４２０・・・本体部
４２２・・・パネル固定部
４２４・・・基板固定部
４２６・・・弾性部材
４４・・・下面用シールド板
４４０・・・本体部
４４２・・・基板固定部
４４４・・・シャーシ接触部
４６・・・シャーシ
４６０・・・シャーシ凹部
４６２，４６４，４６６ａ〜４６６ｄ・・・側孔部
４８・・・パネル
４８０・・・パネル切欠き
５・・・カバー
５０・・・外部電源入力端子
５２・・・アース端子
【図１】
2004335555.tif 000003
【図２】
2004335555.tif 000004
【図３】
2004335555.tif 000005
【図４】
2004335555.tif 000006
【図５】
2004335555.tif 000007
【図６】
2004335555.tif 000008
【図７】
2004335555.tif 000009
【図８】
2004335555.tif 000010
【図９】
2004335555.tif 000011
【図１０】
2004335555.tif 000012
【図１１】
2004335555.tif 000013
【図１２】
2004335555.tif 000014
【図１３】
2004335555.tif 000015
【図１４】
2004335555.tif 000016
【図１５】
2004335555.tif 000017
【図１６】
2004335555.tif 000018
【図１７】
2004335555.tif 000019
【図１８】
2004335555.tif 000020